(57)【特許請求の範囲】
【請求項１】
自動販売機の管理番号、型式、設置場所、及び設置年月日を含む個々の自動販売機の情報を、自動販売機設置の際に自動販売機履歴情報としてデータサーバ装置が入力登録する工程と、
自動販売機に共通の部品に関する情報、自動販売機毎の特有部品に関する情報、及び、これら個々の部品の在庫情報を、在庫品、必要時調達品、リサイクル品のいずれの部品種別であるか検索できるように、前記保守部品情報を構成して予め保守部品情報としてデータサーバ装置が登録する工程と、
データサーバ装置が前記自動販売機履歴情報に、整備受注履歴、整備履歴を順次登録する工程と、
自動販売機の整備依頼があった場合はデータサーバ装置が、該整備依頼とリサイクル品の利用を希望する情報とに基づいて、前記自動販売機履歴情報から整備に必要な部品を検索する工程と、
データサーバ装置が、該部品の在庫を前記保守部品情報に基づいて照合する工程と、前記照合の結果リサイクル品の在庫ありであれば部品出荷データを構築する工程と、リサイクル品の在庫なしであればリサイクル品でない部品出荷データを構築する工程と、在庫なしであれば部品発注処理をする工程と、
このようにして必要部品が得られ、整備の完了が伝達された場合は該伝達に基づいて前記自動販売機履歴情報をデータサーバ装置が更新する工程と、
を備えたことを特徴とする自動販売機の整備管理支援方法。
【請求項２】
自動販売機の管理番号、型式、設置場所、及び設置年月日を含む個々の自動販売機の情報を、自動販売機設置の際に自動販売機履歴情報としてデータサーバ装置が入力登録する工程と、
自動販売機に共通の部品に関する情報、自動販売機毎の特有部品に関する情報、及び、これら部品の在庫情報を予め保守部品情報としてデータサーバ装置が登録する工程と、 データサーバ装置が前記自動販売機履歴情報に、整備受注履歴、整備履歴を順次登録する工程と、
自動販売機の整備依頼があった場合はデータサーバ装置が、該整備依頼に基づいて前記自動販売機履歴情報から整備に必要な部品を検索する工程と、
データサーバ装置が、該部品の在庫を前記保守部品情報に基づいて照合する工程と、前記照合の結果在庫ありであれば部品出荷データを構築する工程と、在庫なしであれば部品発注処理をする工程と、
このようにして必要部品が得られ、整備の完了が伝達された場合は該伝達に基づいて前記自動販売機履歴情報をデータサーバ装置が更新する工程と、
前記整備を実行完了した場合の持ち返り部品、あるいは、整備せずに自動販売機を引き揚げた場合の自動販売機にある部品を確認した結果に基づいて、利用可能な部品に関する情報を、データサーバ装置が取得して前記保守部品情報に登録する工程と、
を備えたことを特徴とする自動販売機の整備管理支援方法。
【請求項３】
自動販売機の管理番号、型式、設置場所、及び設置年月日を含む個々の自動販売機の情報を、自動販売機設置の際に自動販売機履歴情報としてデータサーバ装置が入力登録する工程と、
自動販売機に共通の部品に関する情報、自動販売機毎の特有部品に関する情報、及び、これら個々の部品の在庫情報を、在庫品、必要時調達品、リサイクル品のいずれの部品種別であるか検索できるように、前記保守部品情報を構成して予め保守部品情報としてデータサーバ装置が登録する工程と、
データサーバ装置が前記自動販売機履歴情報に、整備受注履歴、整備履歴を順次登録する工程と、
自動販売機の整備依頼があった場合はデータサーバ装置が、該整備依頼とリサイクル品の利用を希望する情報とに基づいて、前記自動販売機履歴情報から整備に必要な部品を検索する工程と、
データサーバ装置が、該部品の在庫を前記保守部品情報に基づいて照合する工程と、前記照合の結果リサイクル品の在庫ありであれば部品出荷データを構築する工程と、リサイクル品の在庫なしであればリサイクル品でない部品出荷データを構築する工程と、在庫なしであれば部品発注処理をする工程と、
このようにして必要部品が得られ、整備の完了が伝達された場合は該伝達に基づいて前記自動販売機履歴情報をデータサーバ装置が更新する工程と、
前記整備を実行完了した場合の持ち返り部品、あるいは、整備せずに自動販売機を引き揚げた場合の自動販売機にある部品を確認した結果に基づいて、利用可能な部品に関する情報を、データサーバ装置が取得して前記保守部品情報にリサイクル品として登録する工程と、
を備えたことを特徴とする自動販売機の整備管理支援方法。
【発明の詳細な説明】
【０００１】
【発明の属する技術分野】
本発明は、自動販売機の整備管理支援方法に係り、特に、屋内設置や屋外設置の相違などがある個々の自動販売機の状況に適合させて過不足なく整備を行えるようにし、又リサイクル部品も活用できるようにして、整備不良が生じないようにしながら、整備に要するコストを削減することができる自動販売機の整備管理支援方法に関する。
【０００２】
【従来の技術】
自動販売機は、商品が払い出されず投入した金銭が返却されないなどの機構機能上のトラブルがないように、適正に整備する必要がある。又、購買利用者に対して好感を与えるような美観を維持する上でも、適宜整備する必要がある。このため、所有者など自動販売機を管理するもの（以下管理者、あるいは管理会社と呼ぶ）は、定期整備を含め、このような整備を一括して専門の会社（以下整備会社と呼ぶ）に依頼している。
【０００３】
このように自動販売機では、定期点検の頻度や内容、又故障に備えた保守部品の在庫を適正にして、購買利用者に対する様々な面でのサービスが低下しないようにしている。
【０００４】
【発明が解決しようとする課題】
しかしながら、自動販売機は、このような整備を管理者が行うにしても、あるいは整備会社が行うにしても、定期点検の頻度やその内容、又故障に備えた保守部品の在庫を適正にしないと、故障発生や、外観の美観喪失など、購買利用者に対するサービスが低下してしまう。反対に、定期整備頻度や保守部品在庫が多いと、整備に要するコストが増大することになる。
【０００５】
又、自動販売機は、屋内に設置されるもの、又屋外に設置されるものなど、個々で設置状況や販売頻度などが相違する。このため、定期点検の頻度やその内容などの、定期整備の状況が異なる。
【０００６】
外観や露出する機構部分は、屋内設置に比べ、屋外設置の自動販売機は傷み易く故障し易い。更に、購買利用者の操作ボタンや商品払い出し機構などは、商品の販売頻度によって故障の発生頻度は異なる。このため、個々の自動販売機で故障箇所が異なり、又、整備すべき頻度なども異なる。
【０００７】
従って、例えば、個々の自動販売機に適正な定期整備頻度を設定したり、適正な保守部品在庫の部品種類や在庫量を設定したりすることは、様々な難しさがある。
【０００８】
更に、最近では、コスト削減の観点だけでなく、地球環境保護の観点から、自動販売機の保守にあたっても、以前より部品のリサイクルが要求される。しかしながら、自動販売機の整備で部品をリサイクルするには、リサイクル品を含めた総合的な部品在庫管理をする必要があり、該在庫管理が複雑になり又業務量が増加する。
【０００９】
本発明は、前記従来の問題点を解決するべくなされたもので、屋内設置や屋外設置の相違などがある個々の自動販売機の状況に適合させて過不足なく整備を行えるようにし、又リサイクル部品も活用できるようにして、整備不良が生じないようにしながら、整備に要するコストを削減することができる自動販売機の整備管理支援方法を提供することを目的とする。
【００１０】
【課題を解決するための手段】
本発明は、自動販売機の管理番号、型式、設置場所、及び設置年月日を含む個々の自動販売機の情報を、自動販売機設置の際に自動販売機履歴情報としてデータサーバ装置に入力登録し、自動販売機に共通の部品に関する情報、自動販売機毎の特有部品に関する情報、及び、これら部品の在庫情報を予め保守部品情報としてデータサーバ装置に登録しておき、前記自動販売機履歴情報には、整備受注履歴、整備履歴も順次登録しておき、整備依頼があった場合は、該整備依頼に基づいて前記自動販売機履歴情報を検索して、必要な部品を選ぶと共に、該部品の在庫を前記保守部品情報に基づいて確認し、在庫ありであれば部品出荷依頼をし、在庫なしであれば部品発注処理をし、このようにして必要部品が得られた場合は、前記整備の依頼をし、該整備の完了が伝達された場合は該伝達に基づいて前記自動販売機履歴情報を更新するようにしたことにより、前記課題を解決したものである。
【００１１】
又、前記自動販売機の整備管理支援方法において、前記整備を実行完了した場合の持ち返り部品、あるいは、整備せずに自動販売機を引き揚げた場合の自動販売機にある部品を確認し、該確認に基づいて利用可能な部品に関する情報を、前記保守部品情報に登録するようにしたことにより、自動販売機のリサイクルや、自動販売機の部品のリサイクルを促進できるように、再利用しようとする自動販売機やその部品の情報管理を促進することができる。
【００１２】
更に、前記自動販売機の整備管理支援方法において、前記部品発注の以前に、又該部品発注が不要の場合は前記整備依頼の以前に、前記整備依頼及び前記自動販売機履歴情報に基づいて、該整備の費用の見積りを算出し、該算出結果に基づいて整備費用見積書を発行し、整備依頼先からの作業発注依頼を受け付けてから、前記部品発注や前記整備依頼をするようにしたことにより、無駄な部品発注の発生を低減することができる。整備依頼があっても実際の費用が高額であると、該整備依頼がキャンセルされることがある。上述のようにすれば、整備費用見積書を速やかに発行することができ、又予め整備費用見積書を整備依頼先に発行してあれば、高額な整備費用を理由とした、整備依頼のキャンセルは生じ難くなり、従って、無駄な部品発注の発生を低減することができる。
【００１３】
又、前記自動販売機の整備管理支援方法において、前記自動販売機履歴情報に基づいて自動販売機の定期整備予測情報を作成し、該当自動販売機の管理又は整備をしようとする者が該定期整備予測情報を参照できるようしにしたことにより、自動販売機の管理者や整備者は定期整備に備えることができる。なお、例えば図１の破線１８のように、自動販売機の定期整備予測情報を作成することができる。
【００１４】
次に、前記自動販売機の整備管理支援方法において、定期整備予定日より以前に、前記定期整備予測情報を該当自動販売機の管理又は整備をしようとする者に自動的に送付するようしにしたことにより自動販売機の管理者や整備者は定期整備に備えることができる。
【００１５】
又、前記自動販売機の整備管理支援方法において、前記保守部品情報に登録されている個々の部品が、在庫品、必要時調達品、リサイクル品のいずれの部品種別であるか検索できるように、前記保守部品情報を構成しておき、部品の在庫照会の際にはこれら部品種別を選択できるようにしたことにより、リサイクル品の部品の在庫がある場合は、自動販売機の整備にこれを利用し易くなり、従って、リサイクル品の部品の活用が促進される。
【００１６】
又、前記自動販売機の整備管理支援方法において、前記自動販売機履歴情報に基づき、前記設置年月日から所定期間経過後、又は、整備回数が所定回数以上になった後となったことを判定し、該判定が成立した場合には、自動販売機定期整備情報を生成し、該当自動販売機の管理をする者、及び整備をする者の少なくとも一方に該情報を送付するようにしたことにより、自動販売機の管理者や整備者は定期整備に備えることができる。
【００１７】
以下、本発明の作用について、簡単に説明する。
【００１８】
図１は、本発明で利用する諸情報の構成を示すブロック図である。
【００１９】
本発明においては、主として、自動販売機履歴情報１０、及び保守部品情報３０を利用する。これら情報は、データサーバ装置に入力登録し、例えば、データサーバ装置に設けられているデータベースなどに格納する。そうして、該当者はこのような情報にアクセスするようにする。
【００２０】
自動販売機履歴情報１０は、図示されるように、自動販売機情報１２と、その他の整備関連情報１４とを含む。自動販売機情報１２は、自動販売機の管理番号、型式、設置場所、及び設置年月日を含む個々の自動販売機の情報である。該自動販売機情報１２は、自動販売機設置の際に自動販売機履歴情報としてデータサーバ装置に入力登録する。
【００２１】
保守部品情報３０は、共通部品情報３２と、特有部品情報３４と、部品在庫情報３６とを含む。共通部品情報３２は、自動販売機に共通の部品に関する情報である。特有部品情報３４は、自動販売機毎の特有部品に関する情報である。そうして、部品在庫情報３６は、これら部品の在庫情報である。又以上のような保守部品情報３０は、データサーバ装置に登録しておき、例えば、データサーバ装置に設けられているデータベースなどに格納する。
【００２２】
自動販売機履歴情報１０には、整備受注履歴、整備履歴も例えば整備関連情報１４として順次登録しておく。又、整備依頼があった場合は、該整備依頼に基づいて自動販売機履歴情報１０を検索して、必要な部品を選ぶ。これと共に、該部品の在庫を、保守部品情報３０の例えば部品在庫情報３６に基づいて確認し、在庫ありであれば部品出荷依頼をし、在庫なしであれば部品発注処理をする。このようにして必要部品が得られた場合は、前記整備の依頼をする。そうして、該整備の完了が伝達された場合は該伝達に基づいて自動販売機履歴情報１０を更新する。
【００２３】
以上のように本発明においては、自動販売機の整備管理支援に必要な情報が能率よく取り扱われる。従って、屋内設置や屋外設置の相違などがある個々の自動販売機の状況に適合させて過不足なく整備を行えるようにし、又リサイクル部品も活用できるようにして、整備不良が生じないようにしながら、整備に要するコストを削減することができる。
【００２４】
なお、共通部品情報３２や特有部品情報３４においては、リサイクルされた部品の情報を含めるようにしてもよい。この場合は、個々の部品が、在庫品であるか、必要時調達品であるか、リサイクル品であるかを示す情報を付与するようにしてもよい。
【００２５】
あるいは、後述する実施形態のごとく、共通部品は基本的に在庫品として共通部品情報３２（共有・共通部品データ３２Ａ）にて管理し、特有部品は原則として必要時調達品として特有部品情報３４（自給調達品在庫データ３４Ａ）にて管理する。そうして、リサイクル品については、リサイクル部品在庫データ３８にて管理するようにしてもよい。
【００２６】
【発明の実施の形態】
以下、図を用いて本発明の実施の形態を詳細に説明する。
【００２７】
図２は、本発明の自動販売機の整備管理支援方法が適用された、自動販売機の整備管理支援装置の機能を示すブロック図である。この図においては、左側で上から下に自動販売機のライフサイクルに沿った整備の流れが示されている。又、右側で上から下に、このような整備を支援するための種々の機能が示されている。
【００２８】
これらの機能は、その機能を実現する１つの構成部ともなっている。そうしてこの図においては、左側の個々の整備の作業や処理と、これら処理を支援する右側の個々の構成部との関係が示されている。本実施形態の自動販売機は、一例として缶入り飲料を販売するものであるが、他の販売物を取り扱うものも同様である。
【００２９】
図３及び図４は、本実施形態においてなされる処理を示すブロック図である。これらの図は、本来は１つの統合された図であり、作図の関係上、図３には該統合図の左側が示され、図４には右側が示される。これら図３及び図４では、本実施形態の自動販売機の整備管理支援装置でなされる処理に加え、人手を伴う例えば入力などの処理も図示されている。
【００３０】
図５は、本実施形態において飲料メーカ会社６２、管理会社６０、整備会社６４のそれぞれがアクセスする情報を示すブロック図である。
【００３１】
この図において、管理会社６０内の諸データ、又図中で楕円形範囲６６内の諸データは、実体としては自動販売機整備管理支援装置用データサーバ装置５０に登録され、具体的には該自動販売機整備管理支援装置用データサーバ装置５０内で構成されているデータベースに格納されている。又、本発明が適用された自動販売機の整備管理支援装置は、このような自動販売機整備管理支援装置用データサーバ装置５０を利用しながら構成されている。該自動販売機整備管理支援装置用データサーバ装置５０は、例えばパーソナルコンピュータや、ＥＷＳ（Ｅｎｇｉｎｅｅｒｉｎｇ    Ｗｏｒｋ    Ｓｔａｔｉｏｎ）などのハードウェアを用いて構成することができる。
【００３２】
本実施形態においては、本発明の自動販売機履歴情報１０や保守部品情報３０に対応するデータは該自動販売機整備管理支援装置用データサーバ装置５０に格納されている。具体的には、図示される本実施形態の自販機履歴管理データ１０Ａは、本発明の自動販売機履歴情報１０に該当する。共有・共通部品データ３２Ａは共通部品情報３２に該当し、共通部品の在庫に関する情報は本実施形態においては在庫データ３６Ａに格納している。又、自給調達品在庫データ３４Ａには特有部品情報３４が含まれ、更には特有部品の在庫に関する情報は該自給調達品在庫データ３４Ａに格納している。又、リサイクル部品在庫データ３８は、共通部品及び特有部品を含めた、リサイクルされた部品を表す情報、又、該リサイクル部品の在庫を表す情報である。
【００３３】
又、これらデータの登録は、飲料メーカ会社６２、管理会社６０、整備会社６４の内の該当するものが、インターネットを経由して入力し、登録する。又、許可されている範囲でインターネットを経由して、これらデータを参照することができる。
【００３４】
又、これら各社のアクセスは、インターネットに接続している各社のパーソナル・コンピュータで動作させている、ブラウザ・プログラムを利用して行う。該ブラウザ・プログラムとしては、例えば米国マイクロソフト社製の「インターネット・エクスプローラー」などを利用することができる。又、該ブラウザ・プログラムによって、図示されるようなウェブ画面５２及び５４が提供され、該画面を利用して各社は、許可されている範囲で必要なデータへのアクセスを行う。
【００３５】
図６は、本実施形態において、自動販売機の機構的な整備、及び外観的な整備を示すフローチャートである。この図においては中央で上から下に経時的に、自動販売機の新台設置後の、整備の基本的な流れが示される。又、左側では上から下に、外観的な要素の整備の流れが示されている。更に、右側では上から下に、自動販売機の機構的な要素の整備の流れが示されている。
【００３６】
以上で言及した図２〜図６に基づいて、本実施形態の全体的な作用について説明する。
【００３７】
本実施形態の処理は、新台の自動販売機が設置された後の処理は、全体としては、以下に説明するステップＡ〜Ｅに分けることができる。これら処理は、一部人手を伴い、又このようなステップＡ〜Ｅの順になされることになる。
【００３８】
まず、ステップＡについて説明する。
【００３９】
ステップＡにおいては、飲料メーカにおいて自動販売機の新台登録が行われ、その自動販売機を整備会社（整備拠点）で設置する際に、自動販売機整備管理支援装置のウェブ画面『設置情報入力』Ａ０２により、自動販売機自体やその設置に関係する情報を、自動販売機管理番号をキーにして登録する。この情報は各種自販機履歴データ内に保管され、「定期整備予測データ」Ａ０４へも情報を追加する。自販機履歴データのアップデートは、整備後または引揚が行われた時点で自動販売機整備管理支援装置のウェブ画面「整備・引揚入力」で行われる。
【００４０】
次に、ステップＢについて説明する。
【００４１】
ステップＢにおいては、飲料メーカにおいて「自販機履歴管理データ」Ａ０３と「定期整備予測データ」Ａ０４を基に自動販売機の整備計画を立て、自動販売機整備管理支援装置のウェブ画面「整備依頼」Ｂ０２で整備を依頼する。整備会社（整備拠点）で「整備依頼受付」Ｂ０３を行い、同時に自動販売機整備管理支援装置のウェブ画面「自販機履歴データ情報照会」Ｂ０４で整備される自動販売機の情報を確認する。整備に必要な部品について自動販売機整備管理支援装置のウェブ画面「共有・共通部品検索」Ｂ０５で交換部品の確認を行い、自動販売機整備管理支援装置のウェブ画面「交換部品在庫照会」Ｂ０６にて在庫確認を行う。
【００４２】
続いて、ステップＣについて説明する。
【００４３】
ステップＣにおいては、整備会社（整備拠点）では飲料メーカから整備見積りに対しての承認が行われた後、自動販売機整備管理支援装置のウェブ画面「部品発注入力」Ｃ０１で発注作業を行う。自動販売機整備管理支援装置側ではそのデータを基に在庫との照合を行い、在庫の引き当てか発注処理を行い、入荷を経て出荷データを構築する。又、受注データから受注履歴データＣ０５を構築し、自給調達計画処理Ｃ０６を経て、自給調達を行う部品（製品）については独自に調達を行い、調達された部品（製品）データを自給調達品在庫データとしてファイルを行い、在庫データＣ０８にリンクを行う。
【００４４】
次に、ステップＤについて説明する。
【００４５】
ステップＤにおいては、飲料メーカにおいて自動販売機のメンテナンス依頼を受けた場合、自動販売機整備管理支援装置のウェブ画面「メンテナンス依頼」Ｄ０１で整備会社（整備拠点）にメンテナンスの依頼を行う。整備会社（整備拠点）では、メンテナンスの依頼を受けてから、ステップＡと同様に「自販機履屋データの確認」Ｂ０４、「共有・共通部品確認」Ｂ０５、「交換部品在庫照会」Ｂ０６を経て、部品発注処理Ｄ０２を行う。
【００４６】
続いて、ステップＥについて説明する。
【００４７】
ステップＥにおいては、整備会社（整備拠点）で行われた整備又は引揚に対して、交換又は引き揚げられた部品（製品）のチェックを行い、リサイクル可能部品については「リサイクル部品処理依頼」Ｅ０１でリサイクルの依頼を行う。明和ペンデイクスで受け付けられたリサイクル対象部品を整備又は修理、加工、検査を行い、部品の再生処理を行う。再生処理された部品（製品）は、「リサイクル部品在庫データ」Ｅ０３に情報を構築し、在庫データにリンクを行う。
【００４８】
次に、図２の右側に列挙した本実施形態における諸機能について、上から順に、画面図などを示しながら説明する。
【００４９】
まず、図７は、本実施形態における自販機履歴管理機能による自動販売機の整備管理の支援を示すフローチャートである。
【００５０】
この図においては、左側において、上から下に自動販売機の整備の流れが示されている。又、右側に示される自販機履歴管理機能は、該自販機履歴管理機能を実現する構成部であり、即ち自販機履歴管理機能部と称する。
【００５１】
該自販機履歴管理機能においては、自動販売機の管理番号を基に、自動販売機の管理データ登録、新台設置から廃棄までの故障履歴、部品交換・修理履歴等を登録し、次回の整備計画についての基礎資料を提供する。又、メンテナンス時の管理データ確認、構成部品の確認等の各照会を行い、整備の効率化を図る。
【００５２】
図８は、該自販機履歴管理機能により提供される情報を示す線図である。
【００５３】
更に、図９は、該自販機履歴管理機能により情報を登録したり参照したりする際のベンディング部品マスター登録画面を示す線図である。図１０は、該自販機履歴管理機能により情報を検索する際のベンディング部品マスター個別検索１画面を示す線図である。図１１は、情報を登録したり参照したりする際の完了入力１画面を示す線図である。該画面により、種々の作業完了に伴った情報入力を行う。図１２は、情報を登録したり参照したりする際のベンディングコール条件入力画面を示す線図である。図１３は、情報を登録したり参照したりする際のベンディングコール完了報告画面を示す線図である。該画面により、ベンディングコールの作業完了に伴った情報入力を行う。図１４は、情報を検索する際の形式別品質区分別在庫機一覧検索画面を示す線図である。
【００５４】
次に、図１５〜図１９により、本実施形態の販売管理システムにおける情報の登録や参照に用いる画面が示される。まず、図１５は、ＷＥＢ納期確認画面を示す線図である。図１６は、ＷＥＢ在庫・入荷予定照会画面を示す線図である。図１７は、ＷＥＢ発注入力画面を示す線図である。図１８は、商品区分検索画面を示す線図である。図１９は、商品検索画面を示す線図である。
【００５５】
図２０は、本実施形態における受発注一元管理機能による自動販売機の整備管理の支援を示すフローチャートである。
【００５６】
この図においては、左側において自動販売機の整備の流れが示されている。又、右側に示される受発注一元管理機能は、該自販機履歴管理機能を実現する構成部であり、即ち受発注一元管理機能部と称する。
【００５７】
この受発注一元管理機能では、自動販売機整備に関係する部品や材料（以下部材と呼ぶ）の発注先を一本化し、一元窓口一括受注対応による発注業務の簡素化を実現する。部材発注については、自動販売機管理番号を基にした自販機履歴データの検索を行い、管理データから部材の確認と在庫管理機能を利用して在庫照会を行い、整備に必要な部材の発注を行う。
【００５８】
図２１は、本実施形態における部品（製品）供給機能による自動販売機の整備管理の支援を示すフローチャートである。
【００５９】
この図においては、左側において自動販売機の整備の流れが示されている。又、右側に示される部品（製品）供給機能は、該部品（製品）供給機能を実現する構成部であり、即ち部品（製品）供給機能部と称する。
【００６０】
この部品（製品）供給機能では、自動販売機の整備に必要な全ての関連部材を、発注先の現存地または自動販売機設置場所に関係なく、全て一定価格で受注の当日に発送を行う。この供給機能により、発注先では調達品に対してのマニュアル化が実現する。
【００６１】
図２２は、本実施形態における受注情報履歴・分析機能による自動販売機の整備管理の支援を示すフローチャートである。
【００６２】
この図においては、左側において自動販売機の整備の流れが示されている。又、右側に示される受注情報履歴・分析機能は、該受注情報履歴・分析機能を実現する構成部であり、即ち受注情報履歴・分析機能部と称する。
【００６３】
この受注情報履歴・分析機能では、受注データ又は出荷データを基に、使用部材の数量、頻度、使用目的等の統計を行い、整備計画又は整備拠点での予算等の基礎資料として、又は分析結果を基にした効率的な発注対策資料として、データを提供する。
【００６４】
図２３は、本実施形態における共有・共通部品検索機能による自動販売機の整備管理の支援を示すフローチャートである。
【００６５】
この図においては、左側において自動販売機の整備の流れが示されている。又、右側に示される共有・共通部品検索機能は、該共有・共通部品検索機能を実現する構成部であり、即ち共有・共通部品検索機能部と称する。又、図２４は、該共有・共通部品検索機能で提供される部品共通リストの一例を示す線図である。
【００６６】
この共有・共通部品検索機能では、自動販売機に必要な部材について、共有化もしくは共通化が可能である部品・製品のデータを提供する。この検索機能により、より低価格な部材調達を可能にする。
【００６７】
図２５は、本実施形態における在庫管理（在庫照会）機能による自動販売機の整備管理の支援を示すフローチャートである。
【００６８】
この図においては、左側において自動販売機の整備の流れが示されている。又、右側に示される在庫管理（在庫照会）機能は、該在庫管理（在庫照会）機能を実現する構成部であり、即ち在庫管理（在庫照会）機能部と称する。又、図２６は、該在庫管理（在庫照会）機能で提供される部品在庫リストの一例を示す線図である。
【００６９】
この在庫管理（在庫照会）機能では、自販機履歴管理データを参考にメンテナンスに必要な部材を選出し、リアルタイムで在庫確認を行い、整備の準備を行う。また。発注時においても、この照会機能により在庫確認の手間を解消する。
【００７０】
図２７は、本実施形態における自給調達機能による自動販売機の整備管理の支援を示すフローチャートである。
【００７１】
この図においては、左側において自動販売機の整備の流れが示されている。又、右側に示される自給調達機能は、該自給調達機能を実現する構成部であり、即ち自給調達機能部と称する。
【００７２】
この自給調達機能では、受注情報履歴・分析機能から得られた情報を基に、高価な部材又はリードタイムの長い部材等について、予め予備調達を行う。この機能により、自動販売機の故障対応による稼動停止期間を短縮すると共に、一括調達によるコストメリットを提供する。
【００７３】
図２８は、本実施形態における部品・製品リサイクル機能による自動販売機の整備管理の支援を示すフローチャートである。
【００７４】
この図においては、左側において自動販売機の整備の流れが示されている。又、右側に示される部品・製品リサイクル機能は、該部品・製品リサイクル機能を実現する構成部であり、即ち部品・製品リサイクル機能部と称する。
【００７５】
この部品・製品リサイクル機能では、自動販売機に関係する部材に対し、リサイクル可能な部品・製品は積極的にリサイクルを行い、在庫情報にリサイクル部品・製品として情報を提供する。この機能により、システム利用企業へは環境問題への取組を支援する。
【００７６】
図２９は、本実施形態における自販機リニューアル機能による自動販売機の整備管理の支援を示すフローチャートである。
【００７７】
この図においては、左側において自動販売機の整備の流れが示されている。又、右側に示される自販機リニューアル機能は、該自販機リニューアル機能を実現する構成部であり、即ち自販機リニューアル機能部と称する。なおリニューアルとは、自動販売機の主として外観の更新である。
【００７８】
この自販機リニューアル機能では、部品・製品リサイクル機能によってリサイクルされた部品・製品を利用し、自動販売機のリニューアルを行う。この機能により、部品・製品のリサイクルとは別の、自動販売機そのもののリサイクルが実現する。
【００７９】
図３０は、本実施形態における全国物流ネットワーク機能による自動販売機の整備管理の支援を示すフローチャートである。
【００８０】
この図においては、左側において自動販売機の整備の流れが示されている。又、右側に示される全国物流ネットワーク機能は、該全国物流ネットワーク機能を実現する構成部であり、即ち全国物流ネットワーク機能部と称する。
【００８１】
この全国物流ネットワーク機能は、受発注一元管理機能又は部品（製品）供給機能を実現するためのベース機構である。
【００８２】
以上説明したように本実施形態によれば、本発明を効果的に適用することができる。従って、屋内設置や屋外設置の相違などがある個々の自動販売機の状況に適合させて過不足なく整備を行えるようにし、又リサイクル部品も活用できるようにして、整備不良が生じないようにしながら、整備に要するコストを削減することができる。
【００８３】
【発明の効果】
本発明によれば、屋内設置や屋外設置の相違などがある個々の自動販売機の状況に適合させて過不足なく整備を行えるようにし、又リサイクル部品も活用できるようにして、整備不良が生じないようにしながら、整備に要するコストを削減することができる。
【図面の簡単な説明】
【図１】本発明で利用する諸情報の構成を示すブロック図
【図２】本発明の自動販売機の整備管理支援方法が適用された、自動販売機の整備管理支援装置の機能を示すブロック図
【図３】上記実施形態においてなされる処理を示す第１のブロック図
【図４】上記ブロック図の右側に続く第２のブロック図
【図５】前記実施形態において飲料メーカ会社、管理会社、整備会社のそれぞれがアクセスする情報を示すブロック図
【図６】前記実施形態において、自動販売機の機構的な整備、及び外観的な整備を示すフローチャート
【図７】前記実施形態における自販機履歴管理機能による自動販売機の整備管理の支援を示すフローチャート
【図８】前記実施形態における自販機履歴管理機能により提供される情報を示す線図
【図９】前記実施形態において自販機履歴管理機能により情報を登録したり参照したりする際のベンディング部品マスター登録画面を示す線図
【図１０】前記実施形態において自販機履歴管理機能により情報を検索する際のベンディング部品マスター個別検索１画面を示す線図
【図１１】前記実施形態において情報を登録したり参照したりする際の完了入力１画面を示す線図
【図１２】前記実施形態において情報を登録したり参照したりする際のベンディングコール条件入力画面を示す線図
【図１３】前記実施形態において情報を登録したり参照したりする際のベンディングコール完了報告画面を示す線図
【図１４】前記実施形態において情報を検索する際の形式別品質区分別在庫機一覧検索画面を示す線図
【図１５】前記実施形態においてＷＥＢ納期確認画面を示す線図
【図１６】前記実施形態においてＷＥＢ在庫・入荷予定照会画面を示す線図
【図１７】前記実施形態においてＷＥＢ発注入力画面を示す線図
【図１８】前記実施形態において商品区分検索画面を示す線図
【図１９】前記実施形態において商品検索画面を示す線図
【図２０】前記実施形態における受発注一元管理機能による自動販売機の整備管理の支援を示すフローチャート
【図２１】前記実施形態における部品（製品）供給機能による自動販売機の整備管理の支援を示すフローチャート
【図２２】前記実施形態における受注情報履歴・分析機能による自動販売機の整備管理の支援を示すフローチャート
【図２３】前記実施形態における共有・共通部品検索機能による自動販売機の整備管理の支援を示すフローチャート
【図２４】前記実施形態における共有・共通部品検索機能で提供される部品共通リストの一例を示す線図
【図２５】前記実施形態における在庫管理（在庫照会）機能による自動販売機の整備管理の支援を示すフローチャート
【図２６】前記実施形態における在庫管理（在庫照会）機能で提供される部品在庫リストの一例を示す線図
【図２７】前記実施形態における自給調達機能による自動販売機の整備管理の支援を示すフローチャート
【図２８】前記実施形態における部品・製品リサイクル機能による自動販売機の整備管理の支援を示すフローチャート
【図２９】前記実施形態における自販機リニューアル機能による自動販売機の整備管理の支援を示すフローチャート
【図３０】前記実施形態における全国物流ネットワーク機能による自動販売機の整備管理の支援を示すフローチャート
【符号の説明】
１０…自動販売機履歴情報
１０Ａ…自販機履歴管理データ
１２…自動販売機情報
１４…整備関連情報
１８…定期整備予測情報
３０…保守部品情報
３２…共通部品情報
３２Ａ…共有・共通部品データ
３４…特有部品情報
３４Ａ…自給調達品在庫データ
３６…部品在庫情報
３６Ａ…在庫データ
３８…リサイクル部品在庫データ
５０…自動販売機整備管理支援装置用データサーバ装置
５２、５４…ウェブ画面
６０…管理会社
６２…飲料メーカ
６４…整備会社
【図１】
0003612012.tif 000002
【図２】
0003612012.tif 000003
【図３】
0003612012.tif 000004
【図４】
0003612012.tif 000005
【図５】
0003612012.tif 000006
【図６】
0003612012.tif 000007
【図７】
0003612012.tif 000008
【図８】
0003612012.tif 000009
【図９】
0003612012.tif 000010
【図１０】
0003612012.tif 000011
【図１１】
0003612012.tif 000012
【図１２】
0003612012.tif 000013
【図１３】
0003612012.tif 000014
【図１４】
0003612012.tif 000015
【図１５】
0003612012.tif 000016
【図１６】
0003612012.tif 000017
【図１７】
0003612012.tif 000018
【図１８】
0003612012.tif 000019
【図１９】
0003612012.tif 000020
【図２０】
0003612012.tif 000021
【図２１】
0003612012.tif 000022
【図２２】
0003612012.tif 000023
【図２３】
0003612012.tif 000024
【図２４】
0003612012.tif 000025
【図２５】
0003612012.tif 000026
【図２６】
0003612012.tif 000027
【図２７】
0003612012.tif 000028
【図２８】
0003612012.tif 000029
【図２９】
0003612012.tif 000030
【図３０】
0003612012.tif 000031